(57)【要約】      （修正有）【課題】簡素な構造をもつ磁束制御型横磁束機械装置(TFMA)を提供する。【解決手段】３相を構成するよう、位相差をもって軸方向に重ねて配置された複数のステータブロックは、それぞれロータコアの左ティースと右ティースとの間のリング状のスロットに巻かれたリング状の二次相巻線６Ｕ，６Ｖ，６Ｗが挿入されている。ステータコアから供給された交流磁界が各二次相巻線６Ｕ，６Ｖ，６Ｗと鎖交する時、各二次相巻線６Ｕ，６Ｖ，６Ｗには二次相電圧が誘導されるが、各相の二次相電圧は直列接続されて、ダイオード９０３により一括して整流されているので、各相のステータブロックに対し同じ大きさの界磁磁束を発生することができる。【選択図】図１４
2013243831.tif 000002
【特許請求の範囲】
【請求項１】
移動方向(PH)へ移動可能な移動コア(４U-４W)に面するステータコア(２U-２W)の左ティース(２１L)と右ティース(２１R)との間に延在するスペースに巻かれた単相巻線(3U-3W)をそれぞれもつ複数の横磁束機械（TFM)を備える横磁束機械装置（TFMA）において、
各横磁束機械(TFM)の移動コア(4U-4W)は、ステータコア(2U-2W)の左ティース(21L)に対面可能な左ティース(４１L)と、ステータコア(2U-2W)の右ティース(41R)に対面可能右ティース(４１R)と、左ティース（４１L）と右ティース(４１R)とを磁気的に接続するヨーク（４４）とをそれぞれ有し、
各横磁束機械(TFM)は、移動コア(4U-4W)の左ティース(41L)と右ティース(41R)との間に延在するスペースに巻かれた二次相巻線（６U-６W)をそれぞれ有し、
直列接続された各二次相巻線(6U-6W)は、ダイオードを通じて短絡されることにより、界磁磁束発生するための回路を構成することを特徴とする横磁束機械装置（TFMA）。
【請求項２】
前記複数の横磁束機械（TFM)は、U相巻線(3U)をもつU相移動コア(４U)、V相巻線(3V)をもつV相移動コア(4V)及びW相巻線(3W)をもつW相移動コア(４W)を有し、
３相インバータから給電される各相巻線(3U-3W)の中性点（N）は、励磁電流制御用のトランジスタ（９０２）を通じてDCリンク線に接続されている請求項１記載の横磁束機械装置(TFMA)。
【請求項３】
各横磁束機械（TFM)は、ステータコア(２U-２W)の左ティース(２１L)と右ティース(２１R)との間のスペースに巻かれた励磁相巻線（３０U-３０W)をそれぞれ有する請求項１記載の横磁束機械装置(TFMA)。
【請求項４】
前記複数の横磁束機械（TFM)は、U相巻線(3U)をもつU相移動コア(４U)、V相巻線(3V)をもつV相移動コア(4V)及びW相巻線(3W)をもつW相移動コア(４W)を有し、
互いに直列接続された各励磁相巻線（３０U-３０W)は、交流電流を印加される請求項３記載の横磁束機械装置(TFMA)。
【請求項５】
前記複数の横磁束機械（TFM)は、U相巻線(3U)をもつU相移動コア(４U)、V相巻線(3V)をもつV相移動コア(4V)及びW相巻線(3W)をもつW相移動コア(４W)を有し、
前記複数の横磁束機械（TFM)は、回転しており、
互いに直列接続された各励磁相巻線（３０U-３０W)は、直流電流を印加される請求項３記載の横磁束機械装置(TFMA)。
【請求項６】
前記コア（２U-２W、４U-４W）は、移動コア(４U-４W)の移動方向に延在するヨーク部（２４、４４）と、斜めに延在する斜め部（２５L、４５L、２５R、４５R）とを有し、
斜め部（２５L、４５L、２５L、４５R）は、ティース（２１L、４１L、２１R、４１R）をヨーク部（２４、４４）に磁気的に接続し、
ヨーク部（２４、４４）、斜め部（２５L、４５L、２５R、４５R）及びティース（２１L、４１L、２１R、４１R）は、本質的に積層鉄板により形成されている請求項１記載の横磁束機械装置。
【発明の詳細な説明】
【技術分野】
【０００１】
本発明は、横磁束機械装置（TFMA)に関する。より詳しくは、本発明は、積層鉄板で形成されたコアをもつ横磁束機械装置に関する。
【背景技術】
【０００２】
高トルク/重量比、高出力/重量比及び少ない銅損をもつので、多数の極と短い電流経路をもつ横磁束機械（TFM）は、魅力的な電気機械である。米国特許第７、８３０、０５７号は、図１に示されるタンデムTFMを提案している。このTFMは、分割された多数のコア片で作られている。しかし、分割型コア構造は、磁気抵抗の増大とロバストネスの低減とを引き起こす。図２は、ソフトマグネティックコンポジッツ（SMC）から作られたコアを用いるもう一つの先行TFMを示す。けれども、SMCコアの磁気特性及び頑丈さは十分ではない。
【０００３】
電気自動車および風力タービンは、ギヤ損失及び慣性質量を低減可能なダイレクトドライブ機械（DDM）を強く待ち望んでいる。横磁束機械(TFM)は、低速領域において大きなトルクを発生するDDMにとって最適である。しかし、図１及び図２に示される永久磁石ロータTFM（TFPM）により構成されたDDMは、多数の永久磁石を必要とする。その結果、TFPM-DDMは、非常に高価となる。更に、TFPM-DDMは、磁束制御が困難であり、高速領域において弱め界磁損失が大きいという欠点をもつ。
【先行技術文献】
【特許文献】
【０００４】
【特許文献１】米国特許第７、８３０、０５７号
【発明の概要】
【０００５】
本発明の１つの目的は、簡素な構造をもつ磁束制御型横磁束機械装置(TFMA)を提供することである。本発明の他の目的は、積層鉄板を用いた簡素なコア構造をもつ磁束制御型横磁束機械装置(TFMA)を提供することである。
【０００６】
リング状のステータコイルを有する横磁束機械(TFM)を例として、本発明の特徴が以下に説明される。本発明の第１の様相において、並列に配置された複数の横磁束機械(TFM)は、ロータコアの左ティースと右ティースとの間のリング状のスロットに巻かれたリング状の二次相巻線をそれぞれ有する。直列接続された各二次相巻線は、ダイオードを通じて短絡されることにより界磁磁束発生回路を構成する。
【０００７】
好適には、U相ロータコアに巻かれたU相の二次相巻線、V相ロータコアに巻かれたV相の二次相巻線、W相ロータコアに巻かれたW相の二次相巻線が直列に接続され、ダイオードにより短絡される。各相のステータコアに巻かれた各巻線に励磁電流を流すことにより、二次相電圧が二次相巻線に誘導される。二次相電圧は、ロータの回転角速度に対応する同期相電圧成分と、非同期相電圧成分とを含む。この非同期相電圧成分は、同期相電圧成分の高調波成分を含む。各相の二次相電圧の合計が、ダイオードにより整流される。各二次相電圧に含まれる同期相電圧成分の和はゼロとなる。したがって、ダイオードにより整流された各非同期相電圧成分の和が、各二次相巻線に界磁電流を流す。その結果、二次相巻線の銅損が低減され、界磁電流のリップルも低減される。更に、この二次相巻線はコイルエンドをもたないので、銅損が低減される。
【０００８】
一次相巻線に非同期周波数電流を供給することにより、非同期相電圧成分が、二次相巻線に誘導される。また、一次相巻線に印加される正弦波電圧は、磁気回路の非線形性や磁気抵抗の変化により変調されるため、二次相電圧は、非同期相電圧成分を含む。その他、ステータコアに巻かれた独立の励磁相巻線に非同期周波数電流を供給することにより、非同期相電圧成分は、二次相巻線に誘導される。
【０００９】
好適態様によれば、３相インバータが、星形接続された３つの単相巻線に３相電圧を印加する。３つの単相巻線の一端が接続される中性点は、励磁電流制御用のトランジスタを通じてDCリンク線に接続される。これにより、非同期相電圧成分が二次相巻線に簡単に誘導される。
【００１０】
好適態様によれば、単相巻線と励磁相巻線との各ペアが各ステータコアに巻かれる。単相インバータは、互いに直列接続された各励磁相巻線に所定周波数の一次励磁電流を供給する。これにより、非同期相電圧成分は、二次相巻線に簡単に誘導される。
【００１１】
好適態様によれば、移動コア及びステータコアは、積層鋼板により形成されたムカデ形状のコアにより構成される。これにより、簡素なTFMコアを構成することができる。なお、本発明の横磁束機械装置(TFMA)は、従来のコア構造をもつ横磁束機械を採用することができる。
【図面の簡単な説明】
【００１２】
【図１】図１は、分割コアをもつ従来のTFMを示す軸方向横断面図である。
【図２】図２は、SMCコアをもつ従来のTFMの模式横断面図である。
【図３】図３は、タンデム配置された３相の巻ロータ横磁束機（TFWRM）をもつ横磁束機械装置(TFMA)を示す軸方向横断面図である。
【図４】図４は、図３に示される３つの巻ロータ横磁束機（TFWRM）だけを示す軸方向横断面図である。
【図５】図５は、図４に示されるステータコアを示す部分側面図である。
【図６】図６は、図４に示されるステータコアの部分平面図である。
【図７】図７は、図３に示されるロータティースの配列を示す周方向展開図である。
【図８】図８は、図３に示されるロータティースの配列を示す周方向展開図である。
【図９】図９は、図３に示されるステータティースの配列を示す周方向展開図である。
【図１０】図１０は、電気角０度におけるロータティースとステータティースとの相対位置を示す周方向展開図である。
【図１１】図１１は、電気角９０度におけるロータティースとステータティースとの相対位置を示す周方向展開図である。
【図１２】図１２は、電気角１８０度におけるロータティースとステータティースとの相対位置を示す周方向展開図である。
【図１３】図１３は、電気角２７０度におけるロータティースとステータティースとの相対位置を示す周方向展開図である。
【図１４】図１４は、界磁電流を流すための１つの回路例を示す回路図である。
【図１５】図１５は、界磁電流を流すためのもう１つの回路例を示す回路図である。
【発明を実施するための形態】
【００１３】
ムカデ形コアをもつ巻ロータ型横磁束機械(TFWRM)が、図３-図１３を参照して説明される。図３、図４に示されるTFMAは、軸方向にタンデム配列された３つの単相TFWRMを有する。U相TFWRMは、U相ステータコア２UとU相ロータコア４Uとを有する。V相TFWRMは、V相ステータコア２VとV相ロータコア４Vとを有する。W相TFWRMは、W相ステータコア２WとW相ロータコア４Wを有する。軸方向にタンデム配列されたステータコア２U、２V及び２Wは、非磁性のステータハウジング１００に固定されている。
【００１４】
リング状のU相巻線３UがU相ステータコア２Uに巻かれている。リング状のV相巻線３VがV相ステータコア２Vに巻かれている。リング状のW相巻線３WがW相ステータコア２Wに巻かれている。ステータコア２U、２V及び２Wは、それぞれリング状に形成されている。リング状の各相巻線３U-３Wはそれぞれ、左ステータティース２１Lと右ステータティース２１Rとの間のスペースに収容されている。
【００１５】
軸方向にタンデム配置されたU相ロータコア４U、V相ロータコア４V及びW相ロータコア４Wは、ロータ軸２０１に固定された非磁性のローターハウジング２００に固定されている。ロータ軸２０１は、ベアリングを介してステータハウジング１００に保持されている。リング状のU相二次相巻線６UがU相ロータコア４Uに巻かれている。リング状のV相二次相巻線６VがV相ロータコア４Vに巻かれている。リング状のW相二次相巻線６WがW相ロータコア４Wに巻かれている。ロータコア４U、４V及び４Wは、それぞれリング状に形成されている。リング状の各二次相巻線６U-６Wはそれぞれ、左ロータティース４１Lと右ロータティース４１Rとの間のスペースに収容されている。ステータハウジング１００及びロータハウジング２００に形成された入口及び出口を通じて流れる冷却空気流（C.A.）が、各ステータコア２U-２W及び各ロータコア４U-４Wを冷却している。
【００１６】
U相ステータコア２UとU相巻線３UをもつU相ステータが、図５-図７を参照して説明される。V相ステータ及びW相ステータもU相ステータと本質的に同じ構造を有している。ステータコア２Uは、左ステータティース２１L、右ステータティース２１R、環状のヨーク部２４、左斜め部２５L及び右斜め部２５Rからなる。ステータティース２１L、２１Rは、径方向RAにおいて内側へ突出している。環状のヨーク部２４は、周方向PHへ延在している。左ステータティース２１L、右ステータティース２１R、左斜め部２５L及び右斜め部２５Rは各々、周方向PHへ配列されている。
【００１７】
各左斜め部２５Lは、各左ステータティース２１Lとヨーク部２４とを繋いでいる。各右斜め部２５Rは、各右ステータティース２１Rとヨーク部２４とを繋いでいる。左斜め部２５Lは、ヨーク部２４から前方へ斜めに延在している。右斜め部２５Rは、ヨーク部２４から後方へ斜めに延在している。左ステータティース２１Lと右ステータティース２１Rとは、U相コア２Uの環状スロットに収容されたU相巻線３Uを挟んで軸方向AXに隣接している。
【００１８】
図５に示されるように、ステータコア２Uは、軸方向へ積層された６枚の軟鉄板７で構成されている。各プレート７は、左ティース７１L、右ティース７１R、環状のヨーク部７４、左斜め部７５L及び右斜め部７５Rからなる。左ティース７１L及び右ティース７１Rは、径方向RAの内側へ突出している。ヨーク部７４は、周方向PHへ延在している。斜めに延在する各左斜め部７５Lは、各左ティース７１L及びヨーク部７４を繋いでいる。斜めに延在
する各右斜め部７５Rは、各右ティース７１Rとヨーク部７４とを繋いでいる。したがって、ステータコア２Uは、軸方向に積層された複数の軟鉄板７で構成されている。斜め方向へ真っ直ぐに延在する左斜め部７５Lは、平鉄板のプレスにより形成される。平鉄板のプレスにより形成された右斜め部７５Rは、斜め方向へ真っ直ぐに延在している。
【００１９】
螺旋状に積層された軟鉄板は、軸方向に積層された複数の軟鉄板７の代わりに採用されることができる。互いに隣接するヨーク部７４の各ペア間に、各環状隙間７４gが形成されることがわかる。同様に、軸方向AXにて互いに隣接する左ティースの各ペアの間に、ティース形の各隙間７１gが形成される。同様に、ティース形の各隙間７１gが、軸方向AXにおいて互いに隣接する右ティース７１Rの各ペア間に形成される。各隙間７４g、７１gは、軟鉄粉を含む各樹脂層で埋められる。樹脂層は、鉄損の高調波成分を低減する。樹脂層を使う代わりに、ヨーク部７４及びティース７１L、７１Rは磁気振動低減のため軸方向AXへ湾曲乃至屈曲又は突出されることができる。結局、ステータコア２Uは、複数の軟鉄板７の軸方向積層工程で作られている。
【００２０】
図６は、ステータコア２Uの一部を模式的に示す部分側面図である。図７は、ステータコア２Uの一部を模式的に示す部分平面図である。左ステータティース２１Lと右ステータティース２１Rとは、周方向PHにおいて交互に配列されている。２つの左ステータティース２１Lは、１つのステータティースとほぼ等しい周方向幅をもつスペースを越えて互いに隣接している。同様に、２つの右ステータティース２１Rは、１つのステータティース２１Rとほぼ等しい周方向幅をもつスペースを越えて互いに隣接している。左斜め部２５Lと右斜め部２５Rは、周方向PHに交互に配列される。２つの左斜め部２５Lは、斜め部２５Lとほぼ等しい周方向幅をもつスペースを越えて互いに隣接している。同様に、２つの右斜め部２５Rは、斜め部２５Rとほぼ等しい周方向幅をもつスペースを越えて互いに隣接している。
【００２１】
各ロータコア４U-４Wは、ステータコア２Uと本質的に同じ構造を有している。左ロータティース４１L、右ロータティース４１R、環状のヨーク部４４、左斜め部４５L及び右斜め部４５Rからなる。左ロータティース４１Lと右ロータティース４１Rは、径方向外側へ突出している。ヨーク部４４は、周方向PHへ延在している。左ロータティース４１L、右ロータティース４１R、左斜め部４５L及び右斜め部４５Rは、各々周方向PHへ配列されている。各左斜め部４５Lは、各左ロータティース４１Lとヨーク部４４とを繋いでいる。各右斜め部４５Rは、各右ロータティース４１Rとヨーク部４４とを繋いでいる。左斜め部４５Lは、ヨーク部４４から前方へ斜めに延在している。右斜め部４５Rは、ヨーク部４４から後方へ斜めに延在している。左ロータティース４１Lは、径方向RAにおいてステータティース２１Lに面している。右ロータティース４１Rは、径方向RAにおいて右ステータティース２１Rに面している。
【００２２】
ステータコア２Uのステータティース２１L及びロータコア４Uのロータティース４１LはU相電気角をもつ。ステータコア２Vのステータティース２１L及びロータコア４Vのロータティース４１LはV相電気角をもつ。ステータコア２Wのステータティース２１L及びロータコア４Wのロータティース４１LはW相電気角をもつ。これら３つの電気角の各２つの間の各角度は、１２０度である。結局、図３に示されるTFMAは、３つの単相横磁束巻ロータ機械（TFWRM）を有している。図８は、ロータティース４１L、４１Rの１つの配列を示す周方向部分展開図である。図９は、ステータティース２１L、２１Rの１つの配列を示す周方向部分展開図である。
【００２３】
U相TFWRMの動作が図１０-図１３を参照して説明される。U相ステータコア２Uの左ステータティース２１L及びU相ロータコア４Uの左ロータティース４１Lが示されている。U相ステータコア２Uの右ステータティース２１R及びU相ロータコア４Uの右ロータティース４１Rは、図１０-図１３において図示されていない。
【００２４】
図１０は、電気角０度における左ロータティース４１Lの位置を示す。図１１は、電気角９０度におけるロータティースの位置を示す。図１２は、電気角１８０度におけるロータティースの位置を示す。図１１は、電気角２７０度におけるロータティースの位置を示す。U相の二次相巻線６Uに流れる界磁電流Ifにより、左ロータティース４１LはN極になり、図略の右ロータティース４１Rは、S極になる。U相ロータコア４Uは、右方向に移動している。
【００２５】
図１０において、ロータティース４１Lは、互いに隣接する２つのステータティース２１Lの間に位置している。次に、U相電流の第１半波成分がU相の二次巻線６Uに流される。その結果、図１１に示されるようにU相ステータコア２Uのステータティース２１LはS極となるので、ステータティース２１Lは、ロータティース４１Lを右方向に引っ張る。次に、図１２に示されるように、ロータティース４１Lがステータティース２１Lの直下の位置に到達する。その後、U相電流が反転され、U相電流の第２半波成分がU相の二次相巻線６Uに流される。その結果、図１３に示されるようにU相ステータコア２Uのステータティース２１LはN極となるので、ロータティース４１Lは右方向に反発される。
【００２６】
第１実施例のモータ駆動回路９が図１４を参照して説明される。３相横磁束巻ロータモータを駆動するモータ駆動回路９は、インバータ９０１と、励磁電流制御トランジスタ９０２とを有している。インバータ９０１のU相レグは、上トランジスタUHと下トランジスタULとをもつ。インバータ９０１のV相レグは、上トランジスタVHと下トランジスタVLとをもつ。３相インバータ９０１のW相レグは、上トランジスタWHと下トランジスタWLとをもつ。
【００２７】
星形接続されたU相巻線３U、V相巻線３V及びW相巻線３Wの一端は、中性点Nに接続されている。中性点Nは、励磁電流制御トランジスタ９０２を通じて低電位DCリンク線２０００に接続されている。３相巻線３U-３Wの各他端は、インバータ９０１の各レグの出力端に個別に接続されている。直列接続されたU相の二次相巻線６U、V相の二次相巻線６V及びW相の二次相巻線６Wは、ダイオード９０３を通じて短絡されている。二次相巻線６U-６W及びダイオード９０３は、ロータ回路を構成している。コントローラ９１０がインバータ９０１及び励磁電流制御トランジスタ９０２を制御している。
【００２８】
このモータ駆動回路９の動作が説明される。インバータ９０１は、３相正弦波電流を３相巻線３U-３Wに供給する。U相電流Iuは、U相巻線３Uに供給される。V相電流Ivは、V相巻線３Vに供給される。W相電流Iwは、W相巻線３Wに供給される。励磁電流制御トランジスタ９０２をターンオンする時、一次励磁電流If０が、上トランジスタUH、VH、WHから相巻線３U、３V、３Hを通じて励磁電流制御トランジスタ９０２へ流れる。
【００２９】
U相の二次電圧Vuが二次相巻線６Uに誘導される。V相の二次電圧Vvが二次相巻線６Vに誘導される。W相の二次電圧Vwが二次相巻線６Wに誘導される。３つの二次電圧Vu、Vv、Vwの和は、ロータコアに固定されたダイオード９０３により整流される。その結果、二次相巻線６U-６Wに界磁電流Ifが流れる。界磁電流Ifは、インバータ９０１から供給される３相の正弦波電流Iu、Iv及びIwにほとんど影響されない。励磁電流制御トランジスタ９０２をスイッチングすることにより、所定周波数の一次励磁電流If０が形成される。界磁電流Ifは、この一次励磁電流If０に応じて流れる。
【００３０】
高電位側のDCリンク線２００と中性点Nとを接続する励磁電流制御トランジスタ９０２の代わりに、高電位側のDCリンク線１０００と中性点Nとを接続する第２の励磁電流制御トランジスタを採用してもよい。又は、励磁電流制御トランジスタ９０２と第２の励磁電流制御トランジスタ９０２との両方を採用しても良い。
【００３１】
第２実施例の３相巻ロータ横磁束機械(TFWRM)をもつ横磁束機械装置(TFMA)が、図１５を参照して説明される。図１５は、この横磁束機械装置(TFMA)のモータ駆動回路を示す。この実施例では、リング状のU相励磁相巻線３０Uが、U相ステータコア２Uの左ステータティース２１Lと右ステータティース２１Rとの間のスペースに巻かれている。リング状のV相励磁相巻線３０Vが、V相ステータコア２Vの左ステータティース２１Lと右ステータティース２１Rとの間のスペースに巻かれている。リング状のW相励磁相巻線３０Wが、W相ステータコア２Wの左ステータティース２１Lと右ステータティース２１Rとの間のスペースに巻かれている。
【００３２】
モータ駆動回路９は、６つのダイオードDをもつ３相全波ダイオード整流器９０１Aと、単相インバータ９０４とを有している。たとえば、単相インバータ９０４は、４つのトランジスタをもつフルブリッジにより構成される。単相インバータ９０４は、互いに直列接続された３つの励磁相巻線３０U-３０Wに所定周波数の単相交流電圧を印加する。星形接続されたU相巻線３U、V相巻線３V及びW相巻線３Wの一端は、中性点Nに接続されている。３相巻線３U-３Wの各他端は、整流器９０１Aの各レグの入力端に個別に接続されている。直列接続されたU相の二次相巻線６U、V相の二次相巻線６V及びW相の二次相巻線６Wは、ダイオード９０３を通じて短絡されている。二次相巻線６U-６W及びダイオード９０３は、ロータ回路を構成している。コントローラ９１０が単相インバータ９０４を制御している。
【００３３】
所定周波数の励磁電流Ifoが３つの励磁相巻線３０U-３０Wに供給される時、二次相巻線６U-６Wに所定周波数の交流二次電圧が誘導される。この交流二次電圧はダイオード９０３により整流されるので、界磁電流Ifが３つの二次相巻線６U-６Wに流れる。ロータが回転している時、U相電圧Vuが相巻線３Uに誘導され、V相電圧Vvが相巻線３Vに誘導され、W相電圧Vwが相巻線３Wに誘導される。３つの相電圧Vu-Vwは、整流器９０１Aで整流されて出力される。３つの相巻線３U-３Wに流れる３相電流は、二次相巻線６U-６Wに誘導される二次相電圧の和にほとんど影響を与えない。
【００３４】
横磁束機械装置(TFMA)がモータ駆動される時、図１５に示される３相全波ダイオード整流器９０１Aの代わりに３相インバータが採用される。
【００３５】
たとえば、オルタネータのように、横磁束機械装置(TFMA)の始動が不要な時、図１５に示される単相インバータ９０４の代わりに、励磁電流制御トランジスタを採用することができる。この励磁電流制御トランジスタは、直流電源から励磁相巻線３０U-３０Wに供給される直流電流をスイッチング制御する。けれども、ロータコア４U-４Wが高速回転している時、この励磁電流制御トランジスタは、励磁相巻線３０U-３０Wに直流電流を供給することができる。左ロータティース２１L及び右ロータティース２１Rが高速回転し、左ステータティース２１L及び右ステータティース２１Rは、この直流電流により直流磁化されるので、二次交流電圧が二次相巻線６U-６Wに誘導される。
【００３６】
横磁束機械装置(TFMA)が高速回転する時、単相インバータ９０４は、直流電流を励磁相巻線３０U-３０Wに供給することができる。これにより、単相インバータ９０４のスイッチング損失を減らし、鉄損を減らすことができる。
【図１】
2013243831.tif 000003
【図２】
2013243831.tif 000004
【図３】
2013243831.tif 000005
【図４】
2013243831.tif 000006
【図５】
2013243831.tif 000007
【図６】
2013243831.tif 000008
【図７】
2013243831.tif 000009
【図８】
2013243831.tif 000010
【図９】
2013243831.tif 000011
【図１０】
2013243831.tif 000012
【図１１】
2013243831.tif 000013
【図１２】
2013243831.tif 000014
【図１３】
2013243831.tif 000015
【図１４】
2013243831.tif 000016
【図１５】
2013243831.tif 000017